(57)【要約】  モジュール式磁気共鳴像形成保護システムは、支持体と第１のプラットフォームと第２のプラットフォームとを含む。支持体は、磁気共鳴像形成システムのボアを通り、支持体は、第１の案内システムを含む。第１のプラットフォーム及び第２のプラットフォームは、各々が、患者を支持するように構成されている。第１のプラットフォームと第２のプラットフォームとは、各々が、音響遮蔽体を通して搬送体から支持体まで案内され得る。第１のプラットフォームと第２のプラットフォームとは、それぞれ、第１の案内システムと連携して、磁気共鳴像形成システムのボア内に、及び磁気共鳴像形成システムのボアから外に、支持体に沿って第１のプラットフォーム及び第２のプラットフォームを案内する第２の案内システム及び第３の案内システムを含む。
2020513924.tif 000002
【特許請求の範囲】
【請求項１】
磁気共鳴像形成システムのボアを通る支持体であって、第１の案内システムを備える、前記支持体と、
音響遮蔽体を通して搬送体から前記支持体まで案内され得る、患者を支持する第１のプラットフォームであって、前記第１の案内システムと連携して、前記磁気共鳴像形成システムの前記ボア内に、及び、前記磁気共鳴像形成システムの前記ボアから外に、前記支持体に沿って前記第１のプラットフォームを案内する第２の案内システムを備える、第１のプラットフォームと、
前記音響遮蔽体を通して前記搬送体から前記支持体まで案内され得る、患者を支持する第２のプラットフォームであって、前記第１の案内システムと連携して、前記磁気共鳴像形成システムの前記ボア内に、及び、前記磁気共鳴像形成システムの前記ボアから外に、前記支持体に沿って前記第２のプラットフォームを案内する第３の案内システムを備える、第２のプラットフォームと、
を備える、モジュール式磁気共鳴像形成保護システム。
【請求項２】
前記第１の案内システムが、前記支持体上に第１のレールを備え、
前記第２の案内システムが、少なくとも１つの次元において前記第１のレールに接触する第２のレールを備え、
前記第３の案内システムが、少なくとも１つの次元において前記第１のレールに接触する第３のレールを備える、
請求項１に記載のモジュール式磁気共鳴像形成保護システム。
【請求項３】
前記支持体が、前記第１の案内システムの第１の部分を含む第１の支持上部と前記第１の案内システムの第２の部分を含む第２の支持上部とを備え、
前記第１の部分と前記第２の部分とが、前記ボアを通るために一緒に合わさる、
請求項１に記載のモジュール式磁気共鳴像形成保護システム。
【請求項４】
前記第１の案内システムが、レールシステムを備える、
請求項３に記載のモジュール式磁気共鳴像形成保護システム。
【請求項５】
前記第２のレールが、前記少なくとも１つの次元において前記第１のレールと交換可能にインターロックされ、
前記第３のレールが、前記少なくとも１つの次元において前記第１のレールと交換可能にインターロックされる、
請求項２に記載のモジュール式磁気共鳴像形成保護システム。
【請求項６】
前記第１の支持上部を介して前記ボアに入るように、前記第１の案内システムの前記第１の部分に沿って前記第１のプラットフォームと前記第２のプラットフォームとを駆動し、前記ボア及び前記第２の支持上部を出るように、前記第１の案内システムの前記第２の部分に沿って前記第１のプラットフォームと前記第２のプラットフォームとを駆動する駆動器をさらに備える、
請求項３に記載のモジュール式磁気共鳴像形成保護システム。
【請求項７】
前記第１のプラットフォームが前記第２のプラットフォームから視覚的に仕切られるように前記第１のプラットフォームと前記第２のプラットフォームとを含む空間を視覚的に仕切る障害物をさらに備える、
請求項１に記載のモジュール式磁気共鳴像形成保護システム。
【請求項８】
前記音響遮蔽体の第１のコンポーネントとしての第１のＲＦ遮蔽防護体であって、前記支持体と前記第１のプラットフォームと前記第２のプラットフォームとを含む部屋に固定された、前記第１のＲＦ遮蔽防護体と、
前記音響遮蔽体の第２のコンポーネントとしての第２のＲＦ遮蔽防護体であって、前記第２のラジオ周波遮蔽防護体が、保護防護体を形成するため前記部屋に及び前記第１のＲＦ遮蔽防護体に固定され、前記第１のプラットフォームと前記第２のプラットフォームとが案内され得る開口を含む、第２のＲＦ遮蔽防護体と、
をさらに備え、
前記保護防護体が、前記第１のプラットフォームと前記第２のプラットフォームとから前記支持体及び前記磁気共鳴像形成システムを仕切るように、前記支持体及び前記磁気共鳴像形成システムの周りの外縁に近接して、及び前記外縁を実質的に形成するように前記部屋内に設置されている、
請求項１に記載のモジュール式磁気共鳴像形成保護システム。
【請求項９】
前記支持体は、前記第１のプラットフォームと前記第２のプラットフォームとが前記開口を通して案内され得る、実質的にある高さで前記ボアを通る、
請求項８に記載のモジュール式磁気共鳴像形成保護システム。
【請求項１０】
前記開口が窓を備えて、前記開口を開閉するように動かされ得る可動ペインをさらに備える、
請求項８に記載のモジュール式磁気共鳴像形成保護システム。
【請求項１１】
前記保護防護体が、前記磁気共鳴像形成システムの磁石の中央から少なくとも２．５メートルに設置された、
請求項８に記載のモジュール式磁気共鳴像形成保護システム。
【請求項１２】
前記可動ペインと前記第１のＲＦ遮蔽防護体と前記第２のＲＦ遮蔽防護体とが、同じ材料を含む、
請求項１０に記載のモジュール式磁気共鳴像形成保護システム。
【請求項１３】
前記磁気共鳴像形成システムが動作中でないときのみ、前記窓から前記可動ペインが動かされることを可能にするロックをさらに備える、
請求項１０に記載のモジュール式磁気共鳴像形成保護システム。
【請求項１４】
前記可動ペインが前記窓から動かされたとき、前記磁気共鳴像形成システムをオフにスイッチングするスイッチをさらに備える、
請求項１０に記載のモジュール式磁気共鳴像形成保護システム。
【請求項１５】
鉄の物体が前記開口を通ることを防ぐために、前記開口の場所から前記鉄の物体を引き付ける電磁場を形作るために使用される伝導体をさらに備える、
請求項８に記載のモジュール式磁気共鳴像形成保護システム。
【発明の詳細な説明】
【背景技術】
【０００１】
[001]  磁気共鳴像形成（ＭＲＩ）システムを囲む部屋は、典型的には、ＲＦ防護機構が部屋の外縁を規定するように壁及び扉内／上にＲＦ（ｒａｄｉｏ  ｆｒｅｑｕｅｎｃｙ）防護機構を含む。ＲＦ防護機構は、部屋及びＲＦ防護機構内に例えば、局所ＲＦコイル、パッド、介入型機器、シートなどのＭＲＩセットアップアクセサリの保管を可能にするように、ＭＲＩシステムを囲むように設計されている。部屋の内部は、ＭＲＩ動作中にはＭＲＩ動作の他の何にも使用されず、部屋への扉は、閉じた状態に維持され、結果として、ＭＲＩ動作中の自由なアクセスを防ぐ。
【発明の概要】
【０００２】
以前の患者がＭＲＩ動作においてまだ検査されているとき、部屋内のＭＲＩセットアップアクセサリは、次の患者を準備するために使用されることができず、これは、ＭＲＩシステムの使用に対して比較的低い効率を結果的にもたらす。これはＭＲＩシステムのボアに、及び、ＭＲＩシステムのボアから患者の移送を必要とする入院施設の場合に特に当てはまる。すなわち、防護された部屋への扉が閉じた状態に留まり、ＭＲＩセットアップアクセサリが防護された部屋内に位置するので、現在の患者が像形成されている間は次の患者が用意され得ないので、全体的なＭＲＩ動作が低速かつ煩わしい。
【０００３】
[002]  例示的な実施形態が、添付図面と併せて読まれたときに以下の詳細な説明から最もよく理解される。様々な特徴が一定の縮尺で描かれるとは限らないことが強調される。実際、寸法は、説明の明確さを目的として任意に大きくされるか、又は小さくされる。適用可能かつ実用的な場合は、同様の参照符号が同様の要素を指す。
【図面の簡単な説明】
【０００４】
【図１】[003]  本開示の代表的な実施形態によるモジュール式磁気共鳴像形成保護システムを含む部屋の平面図である。
【図２Ａ】[004]  本開示の代表的な実施形態によるモジュール式磁気共鳴像形成保護システムの平面図である。
【図２Ｂ】[005]  本開示の代表的な実施形態による窓を含むＲＦ遮蔽防護体の断面図である。
【図３】[006]  本開示の代表的な実施形態によるモジュール式磁気共鳴像形成保護システムを含む部屋の別の平面図である。
【図４】[007]  本開示の代表的な実施形態によるモジュール式磁気共鳴像形成保護システムを含む部屋の別の平面図である。
【図５】[008]  本開示の代表的な実施形態によるモジュール式磁気共鳴像形成保護システムを使用して患者を管理するための工程の図である。
【図６】[009]  本開示の代表的な実施形態によるモジュール式磁気共鳴像形成保護システムにおける案内システムを含む支持体及びプラットフォームの平面図である。
【図７】[010]  本開示の代表的な実施形態によるモジュール式磁気共鳴像形成保護システムを含む部屋の別の平面図である。
【図８Ａ】[011]  本開示の代表的な実施形態によるモジュール式磁気共鳴像形成保護システムの別の平面図である。
【図８Ｂ】[012]  本開示の代表的な実施形態による窓を含むＲＦ遮蔽防護体の別の断面図である。
【図９】[013]  本開示の代表的な実施形態による窓を含むＲＦ遮蔽防護体の別の断面図である。
【図１０Ａ】[014]  本開示の代表的な実施形態によるモジュール式磁気共鳴像形成保護システムにおける案内システムの断面図である。
【図１０Ｂ】[015]  本開示の代表的な実施形態によるモジュール式磁気共鳴像形成保護システムにおける案内システムの別の断面図である。
【発明を実施するための形態】
【０００５】
[016]  以下の詳細な説明において、説明を目的として、及び、限定を目的とせずに、本教示による一実施形態の十分な理解を提供するために特定の詳細事項を開示した代表的な実施形態が記載される。知られたシステム、デバイス、材料、動作の方法、及び製造方法の説明は、代表的な実施形態の説明を不明瞭にしないために省略される。それでも、当業者の視野内のシステム、デバイス、材料、及び方法は本教示の範囲内であり、代表的な実施形態により使用される。本明細書において使用される用語が特定の実施形態を説明することのみを目的としており、限定することは意図されないことが理解される。定義される用語は、本教示の技術分野において一般的に理解される、及び受け入れられる定義される用語の技術的な、及び科学的な意味に対して追加的なものである。
【０００６】
[017]  第１の、第２の、第３のなどの用語は、様々な要素又はコンポーネントを説明するために本明細書において使用され、これらの要素又はコンポーネントは、これらの用語により限定されてはならないことが理解される。これらの用語は、１つの要素又はコンポーネントを別の要素又はコンポーネントから区別するために使用されるにすぎない。したがって、後述の第１の要素又はコンポーネントは、本発明概念の教示から逸脱することなく第２の要素又はコンポーネントと呼ばれ得る。
【０００７】
[018]  本明細書において使用される用語は、特定の実施形態を説明することのみを目的としており、限定することは意図されない。本明細書及び添付の特許請求の範囲において使用されるとき、単数形の用語に対応した表現は、コンテキスト上、他の意味に明示的に規定される場合を除き、単数形と複数形との両方を含むことが意図される。さらに、「備える（含む、有する、もつ）」及び／又は「備えている（含んでいる、有している、もっている）」という用語、及び／又は、同様の用語は、本明細書において使用されるとき、記載された特徴、要素、及び／又はコンポーネントの存在を記述するが、１つ又は複数の他の特徴、要素、コンポーネント、及び／又はそれらの群の存在又は追加を排除しない。本明細書において使用されるとき、「及び／又は」という用語は、関係する列記された項目のうちの１つ又は複数のものの任意の、及びすべての組み合わせを含む。
【０００８】
[019]  別段の記載がない限り、要素又はコンポーネントが別の要素又はコンポーネント「に接続されている」、「に結合されている」、又は「に近接している」場合、要素又はコンポーネントが他の要素又はコンポーネントに直接接続又は結合され得るか、又は、介在要素又はコンポーネントが存在することが理解される。すなわち、これらの用語及び同様の用語は、１つ又は複数の中間要素又はコンポーネントが２つの要素又はコンポーネントを接続するために使用される場合を包含する。しかし、要素又はコンポーネントが別の要素又はコンポーネントに「直接接続されている」場合、これは、２つの要素又はコンポーネントが中間又は介在要素又はコンポーネントを一切ともなわずに互いに接続されている場合のみを包含する。
【０００９】
[020]  したがって、前述の観点から、本開示は、その様々な態様、実施形態、及び／又は特定の特徴又はサブコンポーネントのうちの１つ又は複数を通して、以下に特に記載される利点のうちの１つ又は複数を引き出すことが意図される。説明を目的として、及び、限定を目的とせずに、特定の詳細事項を開示する例示的な実施形態が本教示による一実施形態の十分な理解を提供するために記載される。しかし、本明細書に開示される具体的な詳細事項から外れた本開示に沿った他の実施形態が添付の請求項の範囲内に留まる。さらに、よく知られた装置及び方法の説明は、例示的な実施形態の説明を不明瞭にしないために省略される。このような方法及び装置が本開示の範囲に入る。
【００１０】
[021]  図１は、本開示の代表的な実施形態によるモジュール式磁気共鳴像形成保護システムを含む部屋の平面図である。図１において、部屋１１０は、壁、フロア、及び屋根により規定された囲いである。図１は平面図であるので、部屋１１０の４つの側のみが概略的に描かれている。図１において、部屋１１０は、壁及び扉内／上にＲＦ（ＲＦ）防護機構を含むが、含むものに限られない。部屋１１０は、ヘルスケア施設、例えば病院又は外来センターにある。図１に示されるように、磁気共鳴像形成システム１００は、すべての点、又は位置、又は場所において部屋１１０の壁から離れている（壁に対して内部にある）。部屋１１０は、示されるように磁気共鳴像形成（ＭＲＩ）システム１００を囲むように、最初から構築されているか、又は後から適応される。
【００１１】
[022]  磁気共鳴像形成システム１００は、従来の磁気共鳴像形成システム１００である。磁気共鳴像形成システム１００は、像形成される対象者（例えば、ヒト）内の水分子中で水素原子核（プロトン）を整列及び再整列させるために磁石を使用する複雑なシステムである。強い磁場が、プロトンの「スピン」を整列及び再整列させるために印加される。磁気共鳴像形成システム１００は、ＲＦ数（ＲＦ）コイルを含み得、それにより、送信ステージにおいてＢ１場を選択的に送達する。受信ステージでは、水素原子が初期位置（すなわち、Ｂ１場の選択的な送達の前の位置）に戻り、像を生成するために拾われて使用され得る弱いＲＦ信号を出射する。部屋１１０は、特に、強い磁場を閉じ込めながら、さらに外側からのＲＦ信号をはじき返すように最初から構築されているか、又は後から適応される。
【００１２】
[023]  磁気共鳴像形成システム１００は、ボアを含む円筒磁石１０５を含む。円筒磁石１０５は、外面として機能するハウジングに収容されるが、別の例では、ボアの周囲の最も外側の機能要素である。磁気共鳴像形成システム１００の他の要素が、円筒磁石１０５のボア又は外面内に配置される。さらに、像形成される患者（図示されない）は、円筒磁石１０５のボア内に配置される。分割された円筒磁石又はオープンマグネットが挙げられる他の種類の磁石が磁気共鳴像形成システムのために使用され得るので、示される円筒磁石１０５は一例にすぎない。円筒磁石１０５のボア内に配置された他の要素は、円筒磁石１０５のすぐ内側に円筒ボディコイルを含み、ボディコイルは、水素原子を励起して整列させる主となる一様な静磁場を提供する。ボディコイルにより提供される一様な磁場の例は、１．５テスラ、３．０テスラ、又は７．０テスラである。図１における磁気共鳴像形成システム１００は、ボディコイルのすぐ内側に場勾配コイルをさらに含み、場勾配コイルは、Ｘ軸、Ｙ軸、及びＺ軸に対する関心のある平面を選択するために使用される比較的低周波数のコイルである。このような場勾配コイルは、場勾配を使用することにより、円筒磁石１０５のボア内における対象者にわたって磁場を生成するために使用される。最後に、図１における磁気共鳴像形成システム１００は、場勾配コイルのすぐ内側にＲＦコイルをさらに含む。ＲＦコイルは、Ｂ１場を像形成ゾーンの選択されたスライスに送達するために使用され、Ｂ１場の送達が像形成ゾーン内における水素原子核の磁気スピンの配向を操作することを結果的にもたらす。ＲＦコイルは、送信ステージにおいて使用され、いくつかのシステムでは受信ステージのために使用される。すなわち、送信サイクルが完了した後、水素原子が初期位置に戻り、弱いＲＦ信号を出射する。それらの初期位置に戻された水素原子からのこの弱いＲＦ信号が、磁気共鳴像形成サイクルの受信ステージにおいて拾われるものである。
【００１３】
[024]  図１において、支持体１２０は、磁気共鳴像形成システム１００のボアを通る。第１の案内システムが、図１の支持体１２０における破線により示される。例えば、第１の案内システムは、トラック、わだち状部分、又はレール敷設物である。支持体１２０は、第１の案内システムと、例えばテーブル、支持ベッド、又は第１の案内システムのための他の形態の支持体との両方を提供する。代替的に、例えば、第１の案内システムが、患者を搬送するプラットフォームの重さを支持し得る硬質かつ構造的に安定したレールシステムである場合、支持体１２０は、第１の案内システムのみを含む。別の一例として、支持体１２０における第１の案内システムは、オス／メスペアのオス部材又はメス部材である。
【００１４】
[025]  図１において、保護防護体１３０は、円筒磁石１０５及び支持体１２０の周囲における外縁を形成する。保護防護体１３０は、音響遮蔽体である。保護防護体１３０は、一緒に固定された８つのモジュール式コンポーネント（例えば、パネル）１３１、１３２、１３３、１３５、１３６、１３７、１３８、１３９を含む。８つのモジュール式コンポーネント１３１、１３２、１３３、１３５、１３６、１３７、１３８、１３９は、異なる形状及び幅をもち、部屋１１０に、及び互いに固定された（例えば、部屋１１０内に設置された）実質的な物理的障害物として機能する。８つのモジュール式コンポーネント１３１、１３２、１３３、１３５、１３６、１３７、１３８、１３９は、部屋１１０内における設置のために送達される前に予め組み上げられる。例えば、８つのモジュール式コンポーネント１３１、１３２、１３３、１３５、１３６、１３７、１３８、１３９は、予め組み上げられたアルミニウムパネルである。さらに、８つのモジュール式コンポーネント１３１、１３２、１３３、１３５、１３６、１３７、１３８、１３９は、魅力的な美的外観を提供するために、各々が外部付帯物に包み込まれる。このような外部付帯物として、乾式壁、タイル、又は他の形態の認識可能な壁材が挙げられ得、８つのモジュール式コンポーネント１３１、１３２、１３３、１３５、１３６、１３７、１３８、１３９は、部屋１１０内における設置のための送達前に、このような外部付帯物に包み込まれる。
【００１５】
[026]  一例として、８つのモジュール式コンポーネント１３１、１３２、１３３、１３５、１３６、１３７、１３８、１３９は、図１において直線的な外形をもつことが示される。しかし、８つのモジュール式コンポーネント１３１、１３２、１３３、１３５、１３６、１３７、１３８、１３９のうちの１つ又は複数が、湾曲した外形をもつ。
【００１６】
[027]  さらに、８つのモジュール式コンポーネント１３１、１３２、１３３、１３５、１３６、１３７、１３８、１３９は、ねじ、爪、接着剤、溶接、又は他の留め具により一緒に固定される。８つのモジュール式コンポーネント１３１、１３２、１３３、１３５、１３６、１３７、１３８、１３９の固定の結果は、保護防護体１３０が本明細書において説明されるように意図的に提供された窓及び扉の他にギャップ及び孔を含まないか、又は実質的に含まないことである。すなわち、保護防護体１３０は、入来光及び発信光及び電磁信号に対する単一の統合された障害物として機能及び存在する。説明されるように、保護防護体１３０は、音響遮蔽体である。
【００１７】
[028]  保護防護体１３０は、ＲＦ信号が、保護防護体１３０により形成された外縁の内部に入ることを防ぐ。保護防護体１３０は、円筒磁石１０５、及び、円筒磁石１０５より内側にある他の要素（例えば、円筒ボディコイル、場勾配コイル、ＲＦコイル）により生成された磁場／電磁場から、外縁の外部、及び、外部の物品又はヒトを保護することにさらに役立つ。さらに、保護防護体１３０は、円筒磁石１０５、及び、円筒磁石１０５より内側にある他の要素（例えば、円筒ボディコイル、場勾配コイル、ＲＦコイル）により生成された磁場／電磁場により、外縁の外側の物品が円筒磁石１０５のボアに向けて、及び、さらには円筒磁石１０５のボア内に引き付けられることを物理的に防ぐ。
【００１８】
[029]  保護防護体１３０は、ＲＦ防護部屋を規定する。ＲＦ防護部屋の外側において支持体１２０に患者をのせるための、及び降ろすための複数のプラットフォームを使用することにより、磁気共鳴像形成システム１００が動作していない時間を短くすること、及び、例えば、１時間又は４時間などの期間内に、走査され得る患者の数を増やすことが可能である。さらに、ＲＦ防護部屋が標準化され得るように、保護防護体１３０がモジュール式コンポーネントから組み立てられ得る。したがって、歩行不能な患者は、歩行する患者が交換され得るのと同じくらい迅速に、本明細書において説明されるモジュール式磁気共鳴像形成保護システムを使用して交換され得る。
【００１９】
[030]  さらに、保護防護体１３０が音響的減弱と電磁的減弱との両方を提供するので、磁気共鳴像形成システム１００が別の患者のために動作可能な間に発生する患者の準備は、遮蔽された部屋の外側において平穏に保たれ得る。この効果は、例えば、電磁的防護機能、及び、ＲＦ部屋内において行われる設定を損なうことなく保護防護体１３０の外縁の中及び外へのアクセスを可能にする２重扉システムに比べて有用であり得る。
【００２０】
[031]  図２Ａは、本開示の代表的な実施形態によるモジュール式磁気共鳴像形成保護システムの平面図である。図２Ａにおいて、保護防護体１３０及び磁気共鳴像形成システム１００の要素（すなわち、円筒磁石１０５及び支持体１２０）が、独立して示される。
【００２１】
[032]  図２Ｂは、本開示の代表的な実施形態による窓を含むＲＦ遮蔽防護体の断面図である。図２Ｂにおいて、保護防護体１３０は、正面（断面）図として示される。正面（断面）図において、保護防護体１３０は、３つのモジュール式コンポーネント１３３、１３５、１３６を含む。中央モジュール式コンポーネント１３５は、窓１３４ａを含む。窓１３４ａは、モジュール式コンポーネント１３５の底部の上方における下縁部と、モジュール式コンポーネント１３５の上部の下方における上縁部とを含む。モジュール式コンポーネント１３５の一方側から他方に延びた窓１３４ａが示されるが、窓１３４ａは、モジュール式コンポーネント１３５のより小さな断面にわたって延びてもよい。一実施形態において、窓１３４ａの下縁部の高さは、支持体１２０の上面の高さと概ね同じであるか、実質的に同じであるか、又は同一である。さらに、窓１３４ａは、例えば、１平方メートル程度の限られた開口寸法をもつ。窓１３４ａを使用して、患者が円筒磁石１０５のコア内への搬入のために、適切な高さにおいて窓を介して保護防護体１３０の外縁に入る。保護防護体１３０の外縁内への窓１３４ａは、支持体１２０の上部が円筒磁石１０５のアイソセンターから少なくとも約２．５メートルの場所を通ることを可能にする。窓１３４ａは、分割された２重窓であり、１つの部分が、１方向における（例えば、中に向けた）保護防護体１３０を通した通過のために使用され、１つの部分が、別の方向における（例えば、外に向けた）保護防護体１３０を通した通過のために使用される。
【００２２】
[033]  さらに、窓１３４ａの下縁部は、支持体１２０の案内システムに適合する案内システムを含む。例えば、１つ又は複数のレールは、窓１３４ａの下縁部に設置されるか、又は、組み込まれる。
【００２３】
[034]  図３は、本開示の代表的な実施形態によるモジュール式磁気共鳴像形成保護システムを含む部屋の別の平面図である。図３において、（第１の）プラットフォーム１５０が、保護防護体１３０により形成された外縁の外側に示される。第１のプラットフォーム１５０は、うつ伏せの姿勢で患者を支持し得る修正の加えられたストレッチャー、ベッド、ガーニー、そり、又は他の形態の備品である。医療専門家が保護防護体１３０の外縁の外側における部屋１１０の内側の周囲においてキャリッジ及び第１のプラットフォーム１５０を操縦し得るように、第１のプラットフォーム１５０がキャリッジ上で搬送される。さらに、第１のプラットフォーム１５０は、支持体１２０に沿って第１のプラットフォーム１５０を案内するように、支持体１２０における案内システムとともに動作する案内システムを含む。第１のプラットフォーム１５０及び支持体１２０の案内システムは、第１のプラットフォーム１５０を、磁気共鳴像形成システム１００の円筒磁石１０５のボア内に連携して案内し得る。第１のプラットフォーム１５０及び支持体１２０の案内システムは、さらに、第１のプラットフォーム１５０を、磁気共鳴像形成システム１００の円筒磁石１０５のボアから外に連携して案内し得る。
【００２４】
[035]  本明細書において説明される連携した案内部は、第１のプラットフォーム１５０の案内システムが動いている間、固定されている、支持体１２０における案内システムを含む。その結果、第１のプラットフォーム１５０は、支持体１２０に対して動くか、又は、動かされる。第１のプラットフォーム１５０の案内システムは、例えば、支持体１２０の案内システム内に挿入され、及び、支持体１２０の案内システムに沿って動く。第１のプラットフォーム１５０は、手動で、保護防護体１３０を通して支持体１２０に動力を機械的に伝える保護防護体１３０の外部にある動力源により、重力により、及び／又は、磁気共鳴システム１００付近の物品を適合する形態で動かすための任意の他の知られた機構により動かされる。
【００２５】
[036]  さらに、第１のプラットフォーム１５０の案内システムは、例えば、重力により、支持体１２０の案内システム内に、又は、支持体１２０の案内システムに対して相対的に保持される。代替的に、又は追加的に、第１のプラットフォーム１５０の案内システムは、機械的構成により、例えば、第１のプラットフォーム１５０の案内システムの一部の上方にある支持体１２０の案内システムの一部により、支持体１２０の案内システム内に、又は、支持体１２０の案内システムに対して相対的に保持される。
【００２６】
[037]  図３において、カーテン１７０は、保護防護体１３０の前においてモジュール式コンポーネント１３５の前から延びた障害物の形態として示される。カーテン１７０は、第１のプラットフォーム１５０（及び、第１のプラットフォーム１５０上の患者）と、後続の図において示される、及び説明される第２のプラットフォーム１８０との間における、視覚的障害物として機能し得る。
【００２７】
[038]  図３において、準備テーブル１６０が、保護防護体１３０により形成された外縁の外側にさらに示される。準備テーブル１６０は、患者が磁気共鳴像形成システム１００による像形成を受ける前に、患者に対する供給物を搬送する。磁気共鳴像形成システム１００を使用した、患者に対する工程は、図３においてＡ、Ｂ、Ｃ、Ｄ、Ｅ、及びＦという符号を付された矢印の経路を使用して説明され得る。
【００２８】
[039]  図３における工程Ａにおいて、第１のプラットフォーム１５０は、例えば、部屋の入口から準備テーブル１６０まで動かされる。第１のプラットフォーム１５０は、例えば、キャリッジ又はガーニーを使用して動かされる。準備テーブル１６０において、第１のプラットフォーム１５０上の患者が像形成のために準備され、例えば、１つ又は複数のコイルが患者に対して装着される（例えば、患者に配置される）。
【００２９】
[040]  図３における工程Ｂにおいて、第１のプラットフォーム１５０が、保護防護体１３０の前において準備テーブル１６０からモジュール式コンポーネント１３５まで動かされる。モジュール式コンポーネント１３５の前において、電池パックが、患者に装着されたコイルに装着される。続いて、第１のプラットフォーム１５０及び患者が、モジュール式コンポーネント１３５の窓１３４ａを通って動く。窓１３４ａの底部は、支持体１２０の案内システムに適合した案内システム（例えば、レール）を含む。例えば、第１のプラットフォーム１５０が支持体１２０まで動かされるとき、第１のプラットフォーム１５０及び支持体１２０における案内システムが、かみ合わされ、接触して配置され、整列させられる。
【００３０】
[041]  図３における工程Ｃにおいて、第１のプラットフォーム１５０が支持体１２０に沿って磁気共鳴像形成システム１００の円筒磁石１０５の前まで動かされる。第１のプラットフォーム１５０は、第１のプラットフォーム１５０及び支持体１２０の案内システムを使用して手動で動かされるか、又は、第１のプラットフォーム１５０及び支持体１２０の案内システムを使用して自動的に動かされる。例えば、保護防護体１３０の外部に配置されたモーターが、第１のプラットフォーム１５０を磁気共鳴像形成システム１００の前まで動かすために、支持体１２０の運搬機を自動的に引く。このようなモーター及び／又は運搬機（図示されない）は、第１のプラットフォーム１５０及び支持体１２０の案内システムを補完する追加的な案内コンポーネントである。
【００３１】
[042]  図３における工程Ｄにおいて、第１のプラットフォーム１５０が円筒磁石１０５のボア内に動かされ、患者が像形成を受ける。第１のプラットフォーム１５０、支持体１２０、及び第１のプラットフォーム１５０及び支持体１２０の案内システムのために使用される材料が既存の従来の支持体のために使用される材料と一致したタイプでなければならないことを記載するにはここが適所である。このような材料として、特に、プラスチックが挙げられ、特に、鉄金属化合物が除かれる。
【００３２】
[043]  図３における工程Ｅにおいて、第１のプラットフォーム１５０が、支持体１２０に沿って、磁気共鳴像形成システム１００の円筒磁石１０５の前からモジュール式コンポーネント１３５の窓１３４ａまで動かされる。工程Ｆにおいて、第１のプラットフォーム１５０が窓１３４ａから保護防護体１３０により形成された外縁の外に動かされる。図３に示されるように、図３のＦにおいて第１のプラットフォーム１５０が窓１３４ａから外に動かされたとき、第１のプラットフォーム１５０が図３のＡにおける第１のプラットフォーム１５０の出発点から視覚的に仕切られる。
【００３３】
[044]  図４は、本開示の代表的な実施形態によるモジュール式磁気共鳴像形成保護システムを含む部屋の別の平面図である。図４において、第２のプラットフォーム１８０が工程Ａにおいて導入される。図４における工程Ａ、Ｂ、Ｃ、Ｄ、Ｅ、及びＦは、図３において同じ符号を付された工程と同一であるが、第１のプラットフォーム１５０上の患者の代わりに第２のプラットフォーム１８０上の患者に対して実施される。示されるように、部屋１１０内における保護防護体１３０の外縁の外側のエリアは、磁気共鳴像形成システム１００を使用する前と後との両方において、患者を処理するために使用され得る。
【００３４】
[045]  部屋１１０内に（すなわち、保護防護体１３０の外側に）準備のための追加的な部屋が設けられ、及び、障害物１７１の使用がされた場合、２人の異なる患者が第１のプラットフォーム１５０及び第２のプラットフォーム１８０を使用して同時に処理され得る。言い換えると別の患者が磁気共鳴像形成システム１００にいるとき、又は、他の患者が磁気共鳴像形成システムを出るとき、若しくは、他の患者が磁気共鳴像形成システムを出た直後に、１人の患者が磁気共鳴像形成システム１００に入るように準備され得る。
【００３５】
[046]  図５は、本開示の代表的な実施形態によるモジュール式磁気共鳴像形成保護システムを使用して患者を管理するための工程の図である。図５における工程は、図３及び図４に関係して既に説明されている工程に類似している。Ｓ５０２において、第１の患者が、保護防護体１３０により形成されたキャビンの外側に準備される。Ｓ５０４において、コイルがキャビンの外側において第１の患者に装着される。Ｓ５０６において、電池パックがキャビンの外側において第１の患者に装着される。Ｓ５８０において、第１の患者が、窓１３４ａを通ってキャビン内における支持体１２０まで動かされる。
【００３６】
[047]  Ｓ５２２において、第２の患者がキャビンの外側において準備される。Ｓ５２４において、コイルがキャビンの外側において第２の患者に装着される。Ｓ５３０において、第１のプラットフォーム１５０上の第１の患者がボア内において処置される。Ｓ５３６において、電池パックが、キャビンの外側において第２の患者に装着される。Ｓ５４０において、第１の患者が、窓１３４ａを通してキャビンから除去される。Ｓ５４８において、第２の患者が、窓１３４ａを通してキャビン内の支持体１２０まで動かされる。
【００３７】
[048]  明らかなように、図５において、異なるプラットフォーム１５０及び１８０上の患者は、部屋１１０内において同時に処理され得る。図５に示されるいくつかのステップの順序は任意であり、容易に変更され得る。図５における工程は、第１の患者が窓１３４ａを通してキャビン内の支持体１２０まで動かされるとすぐに、（例えば、Ｓ５２２において）第２の患者が準備され得ることを示すことが意図される。図５における工程は、第１の患者が窓１３４ａを通してキャビンから除去されるとすぐに第２の患者が窓１３４ａを通してキャビン内の支持体１２０まで動かされ得ることを示すことがさらに意図される。
【００３８】
[049]  図６は、本開示の代表的な実施形態によるモジュール式磁気共鳴像形成保護システムにおける案内システムを含む支持体１２０及び第１のプラットフォーム１５０／第２のプラットフォーム１８０の平面図である。図６において、支持体１２０はレール１２５とともに示される。レール１２５は、支持体１２０のベッド１２１に設置されている、配置されている、付けられている、取り付けられている、重ねられている、組み込まれている、及び／又は、置かれているものであり得る。図６における第１のプラットフォーム１５０及び／又は第２のプラットフォーム１８０は、レール１５５／１８５及び関連した駆動器１５６／１８６とともに示される。レール１５５／１８５は、第１のプラットフォーム１５０／第２のプラットフォーム１８０のベッド１５１／１８１に設置されている、配置されている、付けられている、取り付けられている、重ねられている、組み込まれている、及び／又は、置かれているものであり得る。
【００３９】
[050]  駆動器１５６／１８６は、例えば、モーター（固定子／回転子）、及び、例えば、高耐久プラスチックチェーンを含む運搬機システムを含み得る。モーターは、保護防護体１３０の外縁の外側に配置され得、レール１２５及びレール１５５／１８５を使用して、第１のプラットフォーム１５０／第２のプラットフォーム１８０を動かすために運搬機システムを引き得る。したがって、第１のプラットフォーム１５０／第２のプラットフォーム１８０は、円筒磁石１０５のボア内に動かされ、次に、円筒磁石１０５のボアから外に動かされ得る。駆動器１５６／１８６の代替例として、例えば、保護防護体１３０により形成された外縁の外側において電源コンセントに運搬機を差し込むことにより、従来の動力源が使用され得る。
【００４０】
[051]  図７は、本開示の代表的な実施形態によるモジュール式磁気共鳴像形成保護システムを含む部屋の別の平面図である。図７において、第１のプラットフォーム１５０及び第２のプラットフォーム１８０が障害物１７１の別々の側に示される。明らかなように、障害物１７１は、カーテンであるが、永久的な、又は一時的な壁、可動壁、又は別の形態の視覚的障害物であってもよい。さらに、図７における第１のプラットフォーム１５０は、特に、レール１５５を含むことが示され、第２のプラットフォーム１８０は、特に、レール１８５を含むことが示される。レール１５５及び１８５は、少なくとも１つの次元において、支持体１２０におけるレールに接触して配置される。例えば、第１のプラットフォーム１５０／第２のプラットフォーム１８０におけるレールは、オスとメスとのうちの一方であり、支持体１２０におけるレールは、オスとメスとのうちの他方である。インターロック式レールといった、レール１５５／１８５のための様々な代替的な構成が可能である。
【００４１】
[052]  図８Ａは、本開示の代表的な実施形態によるモジュール式磁気共鳴像形成保護システムの別の平面図である。図８Ａにおいて、スイッチまでの信号線１９５が円筒磁石１０５から外につながっていることが示される。信号線１９５は、円筒磁石１０５が動作しているとき／動作可能なときを示す信号を搬送するために使用される。信号線１９５は、図８Ｂにおける磁気共鳴像形成システム１００までの信号線１９４と一緒に使用される。
【００４２】
[053]  図８Ｂは、本開示の代表的な実施形態による窓を含むＲＦ遮蔽防護体の別の断面図である。図８Ｂにおいて、磁気共鳴像形成システム１００までの信号線１９４は、窓１３４ａが開いているとき、又は閉じているときを示す信号を搬送するために使用される。図８Ｂにおけるスイッチ１９１は、磁気共鳴像形成システム１００が動作しているとき、窓１３４ａが想定外に開かれたとき、磁気共鳴像形成システム１００をスイッチオフするために使用される。
【００４３】
[054]  図８Ｂにおいて、ロック１９３は、磁気共鳴像形成システム１００が動作している間、窓１３４ａを閉じた状態で電子的にロックする電子ロックである。ロック１９３は、スイッチ１９１及び磁気共鳴像形成システムまでの信号線１９４に代わるものであるか、又は、ロック１９３は、スイッチ１９１に対する補完物であるか、又は、スイッチ１９１は、ロック１９３に対する補完物である。
【００４４】
[055]  図８Ｂにおいて、ペイン１３４が窓１３４ａに近接して示される。ペイン１３４ｂは、モジュール式コンポーネント１３５と同じ材料である。例えば、ペイン１３４ｂとモジュール式コンポーネント１３５とは、両方がアルミニウムである。ペイン１３４ｂの位置が、磁気共鳴像形成システム１００までの信号線１９４にのせる適切な信号を識別するためにスイッチ１９１により使用される。例えば、ペイン１３４ｂが窓１３４ａをカバーしているとき、磁気共鳴像形成システム１００の動作が安全であることを示す信号が送信される。ペイン１３４ｂが窓１３４ａをカバーしていないとき、磁気共鳴像形成システム１００の動作が安全ではなく、停止されなければならないことを示す信号が送信される。
【００４５】
[056]  図９は、本開示の代表的な実施形態による窓を含むＲＦ遮蔽防護体の別の断面図である。図９において、伝導磁石１９８及び１９９が、保護防護体１３０のモジュール式コンポーネント１３３、１３５及び１３６のいずれかの側に配置される。窓１３４ａが開いているとき、伝導磁石１９８及び１９９は、補完的保護機構として使用される。伝導磁石１９８及び１９９は、窓１３４ａが開いているとき窓１３４ａの脇に物品を引き付ける。さらに、伝導磁石１９８及び１９９は、例えば、窓１３４ａがペイン１３４ｂによりカバーされていないときにのみ、図８におけるスイッチ１９１を使用して選択的にオンに切り替えられる。
【００４６】
[057]  ３Ｔ  Ｉｎｇｅｎｉａ磁石の場合、軟鉄における力は、２．５メートルにおいて約０．５ｇ（重力加速度）である。磁場は約０．０１４Ｔであり、勾配は２．５メートルにおいて約０．０２９Ｔ／ｍである。鉄材料における力は、場と場の勾配との両方に比例する。保護防護体１３０の外縁の外側のエリアは、磁気共鳴像形成システム１００に接近しているという理由から制御された空間であるが、例えば、防護における見落としが発生した場合に、本エリアにおける強磁性材料の存在が依然として起こり得る。伝導磁石１９８及び１９９は、確かに低いリスクではあるが小さな鉄の物体が、開いた窓１３４ａを通って引き付けられるリスクに対処する。適切な局所磁場勾配を生成することにより、窓を通したこのような物質の侵入という元々低いリスクが大幅に下げられ得るので、本明細書において説明されるモジュール式磁気共鳴像形成保護システムの安全性を高める。
【００４７】
[058]  窓１３４ａの周囲における領域、及び、保護防護体１３０により形成された外縁の外部における局所的な場が比較的低いので、常伝導磁石１９８、１９９の使用が可能である。伝導磁石１９８、１９９は、合理的な出力要件を具備した窓１３４ａの場所に存在する漂遊場と概ね同じか、又はそれより大きな場及び勾配を生成する。局所的な場の形状に気を付けることにより、窓１３４ａを通す代わりに窓１３４ａの脇に物体を引くことにより、窓１３４ａの開口のうちの大部分が鉄の弾道の脅威から安全にされ得る。代替的に、脇からの力を大きくした後、観察を可能にするために搬入前に再度、力を弱めることにより、鉄の弾道の脅威の到来の警告がなされ得る。すなわち、常伝導磁石１９８、１９９からの力は、磁気共鳴像形成システム１００の電磁場により与えられる力に比べて限られている。
【００４８】
[059]  さらに、図８Ｂを参照してここまでに説明されているように、窓１３４ａは、窓が開いているときにのみ伝導磁石１９８、１９９から場を生成する電流の流れを可能にするスイッチ１９１（例えば、インターロック）を備え得る。したがって、伝導磁石１９８、１９９からの特別な場が有効でないとき、磁気共鳴像形成システム１００は動作しない。したがって、伝導磁石１９８、１９９及びスイッチ１９１は、漂遊場が磁気共鳴像形成に影響を与えることを防ぐ安全デバイスとみなされ、窓が閉じているとき、スイッチ１９１が、伝導磁石１９８、１９９が危険をもたらさないことを確実なものとする。伝導磁石１９８、１９９は窓が開いているときに使用されるので、このようなスイッチ１９１は、伝導磁石１９８、１９９に対する電流源としての勾配増幅器の使用をさらに可能にする。ここまでに説明されているように、３Ｔ遮蔽磁石に対する２．５メートルにおける勾配は、動作中に磁気共鳴像形成システム１００内において生成される概ね最大の勾配である。
【００４９】
[060]  別の一実施形態において、伝導磁石１９８、１９９の使用に代えて、受動的な磁性材料が、局所場及び勾配に影響を与えるように保護防護体１３０を含む壁内に提供され得る。保護防護体１３０が立っている間、受動的な磁性材料は常に効果的なまま留まるので、受動的な磁性材料がシステム全体の設計の一部であるとき、受動的な磁性材料が使用され得る。
【００５０】
[061]  別の代替的な実施形態は、支持体１２０が通過するときに走査する、患者の下方又は上方における電磁石を使用する。この代替的な実施形態における電磁石は、小さな物体を引き付けるように設計される。より大きな物体により電磁石に与えられた引く現象が力センサーにより検出されて、検出された引く現象が支持体１２０の動きを止める信号を生成及び送信するために使用されることができるように、より大きな物体がこのような電磁石により検出され得る。この実施形態は、支持体１２０から離すように物体をそらすか、又は別様に引き付けるか、又は引くことに対する代替例であり、例えば保護防護体１３０の外縁の外部にある壁にあるのではなく、支持体１２０の表面により近いという利点をもつ。
【００５１】
[062]  図１０Ａは、本開示の代表的な実施形態によるモジュール式磁気共鳴像形成保護システムにおける案内システムの断面図である。図１０Ａにおいて、第１のプラットフォーム１５０／第２のプラットフォーム１８０におけるレール１５５／１８５は、整列したオスレールであり、支持体１２０の（メス）レール１２５に接触し得る。
【００５２】
[063]  図１０Ｂは、本開示の代表的な実施形態によるモジュール式磁気共鳴像形成保護システムにおける案内システムの別の断面図である。図１０Ｂにおいて、第１のプラットフォーム１５０／第２のプラットフォーム１８０の車輪１５９／１８９は、支持体１２０の（メス）レール１２５に沿って第１のプラットフォーム１５０／第２のプラットフォーム１８０を連携して案内するために使用される。
【００５３】
[064]  本開示の態様によると、モジュール式磁気共鳴像形成保護システムは、磁気共鳴像形成システムのボアを通る支持体を含む。支持体は、第１の案内システムを含む。モジュール式磁気共鳴像形成保護システムは、患者を支持するように構成された第１のプラットフォームをさらに含む。第１のプラットフォームは、音響遮蔽体を通して搬送体から支持体まで案内され得る。プラットフォームは、第１の案内システムと連携して、磁気共鳴像形成システムのボア内に、及び、磁気共鳴像形成システムのボアから外に、支持体に沿って第１のプラットフォームを案内するように構成された第２の案内システムを含む。モジュール式磁気共鳴システムは、患者を支持するように構成された第２のプラットフォームをさらに含む。第２のプラットフォームは、音響遮蔽体を通して搬送体から支持体まで案内され得る。第２のプラットフォームは、第１の案内システムと連携して、磁気共鳴像形成システムのボア内に、及び、磁気共鳴像形成システムのボアから外に、支持体に沿って第２のプラットフォームを案内するように構成された第３の案内システムを含む。
【００５４】
[065]  本開示の別の一態様によると、第１の案内システムは、支持体上に第１のレールを含む。第２の案内システムは、少なくとも１つの次元において第１のレールに接触するように構成された第２のレールを含む。第３の案内システムは、少なくとも１つの次元において第１のレールに接触するように構成された第３のレールを含む。
【００５５】
[066]  本開示のさらに違う別の一態様によると、支持体は、第１の案内システムの第１の部分を含む第１の支持上部と、第１の案内システムの第２の部分を含む第２の支持上部とを含む。第１の部分と第２の部分とは、ボアを通るために一緒に合わさる。
【００５６】
[067]  本開示のさらに異なる別の一態様によると、第１の案内システムは、レールシステムを含む。
【００５７】
[068]  本開示の別の一態様によると、第２のレールは、少なくとも１つの次元において第１のレールと交換可能にインターロックされるように構成されている。第３のレールは、少なくとも１つの次元において第１のレールと交換可能にインターロックされるように構成されている。
【００５８】
[069]  本開示のさらに違う別の一態様によると、モジュール式磁気共鳴像形成保護システムは、第１の支持上部を介してボアに入るように、第１のプラットフォームと第２のプラットフォームとを第１の案内システムの第１の部分に沿って駆動する駆動器をさらに含む。駆動器は、ボア及び第２の支持上部を出るように、第１のプラットフォームと第２のプラットフォームとを第１の案内システムの第２の部分に沿って駆動する。
【００５９】
[070]  本開示のさらに異なる別の一態様によると、モジュール式磁気共鳴像形成保護システムは、第１のプラットフォームが第２のプラットフォームから視覚的に仕切られるように、第１のプラットフォームと第２のプラットフォームとを含む空間を視覚的に仕切る障害物を含む。
【００６０】
[071]  本開示の別の一態様によると、モジュール式磁気共鳴像形成保護システムは、支持体と第１のプラットフォームと第２のプラットフォームとを含む部屋に固定された第１のＲＦ遮蔽防護体をさらに含む。第２のＲＦ遮蔽防護体は、保護防護体を形成するため部屋に及び第１のＲＦ遮蔽防護体に固定される。第２のＲＦ遮蔽防護体は、第１のプラットフォームと第２のプラットフォームとが案内され得る開口を含む。保護防護体は、第１のプラットフォームと第２のプラットフォームとから支持体及び磁気共鳴像形成システムを仕切るように、支持体及び磁気共鳴像形成システムの周りの外縁に近接して、及び外縁を実質的に形成するように部屋内に設置されている。
【００６１】
[072]  本開示のさらに違う別の一態様によると、支持体は第１のプラットフォームと第２のプラットフォームとが開口を通して案内され得る、実質的にある高さでボアを通る。
【００６２】
[073]  本開示のさらに異なる別の一態様によると、モジュール式磁気共鳴像形成保護システムは、開口を開閉するように動かされ得る可動ペインを含む。さらに、本開示の別の一態様において、開口は窓である。
【００６３】
[074]  本開示の別の一態様によると、保護防護体は、磁気共鳴像形成システムの磁石の中央から少なくとも２．５メートルに設置される。
【００６４】
[075]  本開示のさらに違う別の一態様によると、可動ペイン、第１のＲＦ遮蔽防護体、及び第２のＲＦ遮蔽防護体は、同じ材料から構築されている、同じ材料から作られている、同じ材料から形成されている、同じ材料からから築かれている、及び／又は、同じ材料から組み立てられている。
【００６５】
[076]  本開示のさらに異なる別の一態様によると、モジュール式磁気共鳴像形成保護システムは、磁気共鳴像形成システムが動作中でないときのみ、窓から可動ペインが動かされることを可能にするロックを含む。
【００６６】
[077]  本開示の別の一態様によると、モジュール式磁気共鳴像形成保護システムは、可動ペインが窓から動かされたとき、磁気共鳴像形成システムをオフにスイッチングするスイッチを含む。
【００６７】
[078]  本開示のさらに違う別の一態様によると、鉄の物体が開口を通ることを防ぐために、モジュール式磁気共鳴像形成保護システムは、開口の場所から鉄の物体を引き付ける電磁場を形作るために使用される導体を含む。
【００６８】
[079]  したがって、標準化されたＲＦキャビンが窓１３４ａを含む保護防護体１３０と、以前の患者のＭＲＩ検査中における次の患者の用意を最適化するデュアルテーブル（プラットフォーム）システムとを使用して形成され得る。特に、ＲＦキャビンの前壁（例えば、１３５）は、鉄の物体が引き入れられ得るゾーンのすぐ外側に位置する。窓１３４ａの開口が床からある高さ、例えば、床から上方に２フィートから始まるので、力の制限は、鉄の転がる物体がこのゾーン内に運ばれた場合でも、鉄の転がる物体が引き入れられないことを意味する。これは、船の扉に類似した停止体として動作する。
【００６９】
[080]  さらに、支持体１２０は、内部に電子機器をほとんど含まないか、又はまったく含まずに、及び、任意の必要な電力ポート又は光学ポートに対する（必要な場合の）信頼可能な単純な連結部を含むように設計され得る。支持体１２０における案内システムは、２つのトラック又はレールが鉄道システムと同様に合流及び分岐することを可能にする。支持体１２０が２つの支持上部から形成されているとき、支持上部は、円筒磁石１０５のボアに入る単一のトラック又はレールへの合わさりに対応し得る。これは、１人の患者の迅速な除去と、すぐ後における、像形成のために完全に準備された第２の患者の積載とを可能にする。任意の支持機構／トラックが、患者を動かすために使用される。有益には、ワイヤレスコイルは、ボア又は、すぐそばのエリア内において電子機器を一切使用せずに、支持体における完全な設定を提供するために使用され得、このことが、患者の処理能力を大幅に上げる。
【００７０】
[081]  さらに、本明細書において説明されるように、患者の準備は、磁気共鳴像形成システム１００と同じ部屋内だが、保護防護体１３０により提供される外縁の外側において提供される。保護防護体１３０の外側のエリアは、中からのＲＦ信号から遮蔽され、及び保護防護体１３０内のエリアは、外側からのＲＦ信号から遮蔽される。これは、別の走査が行われている間に、コイルを含む患者の完全な用意を可能にするとともに、さらに、患者間の迅速な交換を可能にする。
【００７１】
[082]  しかし、モジュール式磁気共鳴像形成保護システムがいくつかの例示的な実施形態に関係して説明されているが、使用されている用語は、限定の用語ではなく、説明及び例示の用語であることが理解される。その態様におけるモジュール式磁気共鳴像形成保護システムの範囲及び趣旨から逸脱することなく、ここまでに記載及び補正されるように、添付の特許請求の範囲の範囲内において変更がなされてよい。モジュール式磁気共鳴像形成保護システムは、特定の手段、材料、及び実施形態との関係において説明されているが、モジュール式磁気共鳴像形成保護システムは、開示される詳細事項に限定されることは意図されず、むしろ、モジュール式磁気共鳴像形成保護システムは、添付の請求項の範囲内であるものなど、すべての機能的に同等な構造、方法、及び使用に広がる。
【００７２】
[083]  本明細書において説明される実施形態の例は、様々な実施形態の構造の概括的な理解を提供することが意図される。例は、本明細書において説明される開示のすべての要素及び特徴の完全な説明として機能することは意図されない。多くの他の実施形態は、本開示を見た当業者に明らかである。本開示から他の実施形態が利用され、及び導かれるので、本開示の範囲から逸脱することなく、構造的な、及び理論的な置換及び変更がなされてよい。さらに、例は代表的なものにすぎず、一定の縮尺で描かれない場合がある。例における特定の比率が大きくされてよいとともに、他の比率が最小化されてよい。したがって、本開示及び図は、限定するものではなく例示的なものとみなされる。
【００７３】
[084]  単に便宜上の理由から、本出願の範囲を任意の特定の発明又は発明の概念に自発的に限定することを意図せず、「発明」という用語により、本開示の１つ又は複数の実施形態が個々に、及び／又は集合的に本明細書において参照される。さらに、特定の実施形態が本明細書において例示及び説明されているが、同一又は類似の目的を達成するように設計された任意の後の構成が、示される特定の実施形態を置換してよいことが理解されなければならない。本開示は、様々な実施形態の任意の、及びすべての後の適応例又は変形例を包含することが意図される。上述の実施形態の組み合わせ、及び、本明細書において具体的に説明されない他の実施形態が、本説明を見た当業者には明らかである。
【００７４】
[085]  本開示の態様によると、モジュール式磁気共鳴像形成保護システムは、磁気共鳴像形成システムのボアを通る支持体を含む。支持体は、第１の案内システムを含む。モジュール式磁気共鳴像形成保護システムは、患者を支持するように構成された第１のプラットフォームをさらに含む。第１のプラットフォームは、音響遮蔽体を通して搬送体から支持体まで案内され得る。プラットフォームは、第１の案内システムと連携して磁気共鳴像形成システムのボア内に、及び磁気共鳴像形成システムのボアから外に、支持体に沿って第１のプラットフォームを連携して案内するように構成された第２の案内システムを含む。モジュール式磁気共鳴システムは、患者を支持するように構成された第２のプラットフォームをさらに含む。第２のプラットフォームは、音響遮蔽体を通して搬送体から支持体まで案内され得る。第２のプラットフォームは、第１の案内システムと連携して磁気共鳴像形成システムのボア内に、及び磁気共鳴像形成システムのボアから外に、支持体に沿って第２のプラットフォームを連携して案内するように構成された第３の案内システムを含む。
【００７５】
[086]  本開示の別の一態様によると、第１の案内システムは、支持体上に第１のレールを含む。第２の案内システムは、少なくとも１つの次元において第１のレールに接触するように構成された第２のレールを含む。第３の案内システムは、少なくとも１つの次元において第１のレールに接触するように構成された第３のレールを含む。
【００７６】
[087]  本開示のさらに違う別の一態様によると、支持体は、第１の案内システムの第１の部分を含む第１の支持上部と、第１の案内システムの第２の部分を含む第２の支持上部とを含む。第１の部分と第２の部分とボアを通るために一緒に合わさる。
【００７７】
[088]  本開示のさらに異なる別の一態様によると、第１の案内システムは、レールシステムを含む。
【００７８】
[089]  本開示の別の一態様によると、第２のレールは、少なくとも１つの次元において第１のレールと交換可能にインターロックされるように構成されている。第３のレールは、少なくとも１つの次元において第１のレールと交換可能にインターロックされるように構成されている。
【００７９】
[090]  本開示のさらに違う別の一態様によると、モジュール式磁気共鳴像形成保護システムは、第１の支持上部を介してボアに入るように、第１の案内システムの第１の部分に沿って第１のプラットフォームと第２のプラットフォームとを駆動する駆動器をさらに含む。駆動器は、ボア及び第２の支持上部を出るように、第１の案内システムの第２の部分に沿って第１のプラットフォームと第２のプラットフォームとを駆動する。
【００８０】
[091]  本開示のさらに異なる別の一態様によると、第１のプラットフォームが第２のプラットフォームから視覚的に仕切られるように、モジュール式磁気共鳴像形成保護システムは、第１のプラットフォームと第２のプラットフォームとを含む空間を視覚的に仕切る障壁を含む。
【００８１】
[092]  本開示の別の一態様によると、モジュール式磁気共鳴像形成保護システムは、支持体と第１のプラットフォームと第２のプラットフォームとを含む部屋に固定された第１のＲＦ遮蔽防護体をさらに含む。第２のＲＦ遮蔽防護体は、第１のＲＦ遮蔽防護体に、及び、部屋に固定されて保護防護体を形成する。第２のＲＦ遮蔽防護体は開口を含み、開口を通して、第１のプラットフォームと第２のプラットフォームとが案内され得る。保護防護体は、第１のプラットフォームと第２のプラットフォームとから支持体及び磁気共鳴像形成システムを仕切るように、支持体及び磁気共鳴像形成システムの周囲における外縁に近接して、及び外縁を実質的に形成するように部屋内に設置されている。
【００８２】
[093]  本開示のさらに違う別の一態様によると、支持体は、実質的にある高さにおいてボアを通り、この高さを通して、第１のプラットフォームと第２のプラットフォームとが開口を通して案内され得る。
【００８３】
[094]  本開示のさらに異なる別の一態様によると、モジュール式磁気共鳴像形成保護システムは、開口を開閉するように動かされ得る可動ペインを含む。さらに、本開示の別の一態様において、開口は窓である。
【００８４】
[095]  本開示の別の一態様によると、保護防護体は、磁気共鳴像形成システムの磁石の中央から少なくとも２．５メートルに設置される。
【００８５】
[096]  本開示のさらに違う別の一態様によると、可動ペイン、第１のＲＦ遮蔽防護体、及び第２のＲＦ遮蔽防護体は、同じ材料から構築されている、同じ材料から作られている、同じ材料から形成されている、同じ材料から築かれている、及び／又は、同じ材料から組み立てられている。
【００８６】
[097]  本開示のさらに異なる別の一態様によると、モジュール式磁気共鳴像形成保護システムは、磁気共鳴像形成システムが動作中でないとき、窓から可動ペインが動かされることを可能にするのみであるロックを含む。
【００８７】
[098]  本開示の別の一態様によると、モジュール式磁気共鳴像形成保護システムは、可動ペインが窓から動かされたとき、磁気共鳴像形成システムをオフにスイッチングするスイッチを含む。
【００８８】
[099]  本開示のさらに違う別の一態様によると、モジュール式磁気共鳴像形成保護システムは、鉄の物体が開口を通ることを防ぐために、開口の場所から鉄の物体を引き付ける電磁場を形作るために使用される導体を含む。
【００８９】
[0100]  本開示の要約は、３７  Ｃ．Ｆ．Ｒ．（特許、商標及び著作権に関する連邦規則）１．７２（ｂ）に準拠するように提供され、本開示の要約が請求項の範囲又は意味を解釈又は限定するために使用されないという理解のもとに提出される。加えて、ここまでの発明を実施するための形態において、様々な特徴は、本開示を簡潔にするために、一緒にグループ化されるか、又は、単一の実施形態において説明される。本開示は、請求項に記載された実施形態が各請求項に明示的に記載されるより多くの特徴を必要とするという意図を反映と解釈されない。むしろ、後述の請求項が示すように、本発明の主題は、開示される実施形態のうちの任意のものの特徴のすべてより少ないものを対象にするようにされてよい。したがって、後述の特許請求の範囲は、発明を実施するための形態に組み込まれ、各請求項が独立して別々に請求項に記載された主題を規定する。
【００９０】
[0101]  開示される実施形態のここまでの説明は、すべての当業者が本開示で説明される概念を実施することを可能にするために提供される。したがって、ここまでに開示される主題は、例示的なものとみなされ、限定するものとはみなされず、添付の特許請求の範囲は、本開示の真の趣旨及び範囲に入るこのような変形例、改善例、及び他の実施形態のすべてを包含することが意図される。したがって、本開示の範囲は、法令により認められる最大の範囲において、後述の特許請求の範囲及びそれらの均等なものの最も広い許容される解釈により決定され、前述の詳細な説明により制限も限定もされてはならない。
【図１】
2020513924.tif 000003
【図２Ａ】
2020513924.tif 000004
【図２Ｂ】
2020513924.tif 000005
【図３】
2020513924.tif 000006
【図４】
2020513924.tif 000007
【図５】
2020513924.tif 000008
【図６】
2020513924.tif 000009
【図７】
2020513924.tif 000010
【図８Ａ】
2020513924.tif 000011
【図８Ｂ】
2020513924.tif 000012
【図９】
2020513924.tif 000013
【図１０Ａ】
2020513924.tif 000014
【図１０Ｂ】
2020513924.tif 000015
【国際調査報告】
2020513924.tif 000016
2020513924.tif 000017
2020513924.tif 000018